【手続補正書】
【提出日】平成17年3月17日(2005.3.17)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】
印刷データに基づいて記録紙上に画像を形成する画像形成手段と、
画像形成後の記録紙に対して複数の後処理を行うことが可能な後処理手段と、
前記印刷データに係るプレビュー表示を行う表示手段と、
前記後処理後の状態を表示するための前記複数の後処理に対応する複数の後処理イメージデータを保存する記憶手段と、
前記プレビュー表示が指定されたか否かを判断する第１の判断手段と、
前記複数の後処理の内、少なくとも１つの後処理が設定されたか否かを判断する第２の判断手段と、
前記第１の判断手段および前記第２の判断手段の判断結果に応じて、前記設定された後処理に対応する前記後処理イメージデータを前記記憶手段から読み出し、該後処理イメージデータと前記印刷データとに基づくプレビュー表示を行わせるよう前記表示手段を制御する制御手段と
を有することを特徴とする画像形成装置。
【請求項２】
印刷データに基づいて記録紙上に画像を形成する画像形成手段と、
画像形成後の記録紙に対して後処理を行う後処理手段と、
前記印刷データに係るプレビュー表示を行う表示手段と、
前記後処理後の状態を表示するための後処理イメージデータを格納する記憶手段と、
前記プレビュー表示が指定されたか否かを判断する第１の判断手段と、
前記後処理が設定されたか否かを判断する第２の判断手段と、
前記第１の判断手段および前記第２の判断手段の判断結果に応じて、前記後処理イメージデータを前記記憶手段から読み出し、該後処理イメージデータと前記印刷データとに基づくプレビュー表示を行わせるよう前記表示手段を制御する制御手段と
を有することを特徴とする画像形成装置。
【請求項３】
原稿を読み取り、前記印刷データを生成する読取手段
を有することを特徴とする請求項１もしくは２に記載の画像形成装置。
【請求項４】
前記プレビュー表示の指定およびまたは前記後処理の設定を行う設定手段
を有することを特徴とする請求項１乃至３のいずれか１つに記載の画像形成装置。
【請求項５】
前記後処理はステイプル処理であり、前記後処理後の状態としてステイプル位置がプレビュー表示される
ことを特徴とする請求項１乃至４のいずれか１つに記載の画像形成装置。
【請求項６】
前記後処理はパンチ処理であり、前記後処理後の状態としてパンチ位置がプレビュー表示される
ことを特徴とする請求項１乃至４のいずれか１つに記載の画像形成装置。
【請求項７】
前記後処理は中折り処理であり、前記後処理後の状態として折り位置がプレビュー表示される
ことを特徴とする請求項１乃至４のいずれか１つに記載の画像形成装置。
【手続補正３】
【補正対象書類名】明細書
【補正対象項目名】０００１
【補正方法】変更
【補正の内容】
【０００１】
【発明の属する技術分野】
この発明は、画像形成後の記録紙を中折り、パンチまたはステープリング等の後処理機能付きの複写機またはプリンタ装置に適用して好適な画像形成装置に関するものである。
【手続補正４】
【補正対象書類名】明細書
【補正対象項目名】０００５
【補正方法】変更
【補正の内容】
【０００５】
【発明が解決しようとする課題】
しかしながら、従来方式に係る後処理機能を有する画像形成装置では、実際の印刷前に、後処理後の記録紙状態を確認することができないという問題がある。
そのため、画像形成後の記録紙に対する後処理の位置がユーザの意図していた位置と異なる不具合があった。例えば、画像形成後の用紙を中綴じ、中折りを行った場合、中折りの位置はユーザの意図していた位置と異なる。また、画像形成後の用紙をパンチ処理を行った場合、印刷された画像の一部を打ち抜くように穴を開けてしまう。また、画像形成後の記録紙をステープリング処理を行った場合、印刷された画像と重なるようにステープリングしてしまう。このような後処理位置の不具合が発生した場合、完成後の用紙を廃棄するしかない、非常に不経済である。
そこで、この発明は上述した課題を解決したものであって、実際の印刷前に、後処理後の記録紙の状態を表示画面上で確認できるようにした画像形成装置を提供することを目的とする。
【手続補正５】
【補正対象書類名】明細書
【補正対象項目名】０００６
【補正方法】変更
【補正の内容】
【０００６】
【課題を解決するための手段】
上記課題を解決するために、本発明に係る第１の画像形成装置は、印刷データに基づいて記録紙上に画像を形成する画像形成手段と、画像形成後の記録紙に対して複数の後処理を行うことが可能な後処理手段と、印刷データに係るプレビュー表示を行う表示手段と、後処理後の状態を表示するための複数の後処理に対応する複数の後処理イメージデータを保存する記憶手段と、プレビュー表示が指定されたか否かを判断する第１の判断手段と、複数の後処理の内、少なくとも１つの後処理が設定されたか否かを判断する第２の判断手段と、第１の判断手段および第２の判断手段の判断結果に応じて、設定された後処理に対応する後処理イメージデータを記憶手段から読み出し、該後処理イメージデータと印刷データとに基づくプレビュー表示を行わせるよう表示手段を制御する制御手段とを有することを特徴とするものである。
【手続補正６】
【補正対象書類名】明細書
【補正対象項目名】０００７
【補正方法】変更
【補正の内容】
【０００７】
本発明に係る第１の画像形成装置によれば、後処理後の記録紙状態を印刷イメージで表示する場合、例えば、ユーザは設定手段を使用してプレビュー表示と後処理モードが設定される。制御手段は、プレビュー表示が指定されたか否か、及び、複数の後処理の内、少なくとも１つの後処理が設定されたか否かの判断結果に応じて、予め設定された後処理に対応する後処理イメージデータを読み出し、該後処理イメージデータと印刷データとに基づくプレビュー表示を行わせるよう表示手段を制御するようになされる。
【手続補正７】
【補正対象書類名】明細書
【補正対象項目名】０００８
【補正方法】変更
【補正の内容】
【０００８】
従って、実際の印刷前に、複数の後処理の内、少なくとも１つの後処理後の記録紙の状態を表示画面上で確認することができるため、後処理の位置がユーザの意図していた位置と異なる不具合を防ぐことが可能となる。
【手続補正８】
【補正対象書類名】明細書
【補正対象項目名】０００９
【補正方法】変更
【補正の内容】
【０００９】
また、本発明に係る第２の画像形成装置は、印刷データに基づいて記録紙上に画像を形成する画像形成手段と、画像形成後の記録紙に対して後処理を行う後処理手段と、印刷データに係るプレビュー表示を行う表示手段と、後処理後の状態を表示するための後処理イメージデータを格納する記憶手段と、プレビュー表示が指定されたか否かを判断する第１の判断手段と、後処理が設定されたか否かを判断する第２の判断手段と、第１の判断手段および第２の判断手段の判断結果に応じて、後処理イメージデータを記憶手段から読み出し、該後処理イメージデータと印刷データとに基づくプレビュー表示を行わせるよう表示手段を制御する制御手段とを有することを特徴とするものである。
【手続補正９】
【補正対象書類名】明細書
【補正対象項目名】００１０
【補正方法】変更
【補正の内容】
【００１０】
本発明に係る第２の画像形成装置によれば、後処理後の記録紙の状態を印刷イメージで表示する際に、プレビュー表示の設定に基づく印刷データと後処理モードの設定に基く後処理イメージデータとを合成して後処理後の記録紙の完成予想イメージ印刷データを作成し、その後、この完成予想イメージを表示するようになされる。
【手続補正１０】
【補正対象書類名】明細書
【補正対象項目名】００１２
【補正方法】変更
【補正の内容】
【００１２】
【発明の実施の形態】
以下、図面を参照しながら、この発明の実施の形態としての画像形成装置について説明をする。本発明に係る実施の形態としての画像形成装置１００は、プレビュー表示と後処理モードが指定された場合、記憶手段から指定された後処理モードに対応する所定の後処理イメージデータを読み出し、それを印刷データと組み合わせて記録紙の完成予想イメージ印刷データを作成し、それに基づいて記録紙の完成予想イメージを表示手段に表示するようになされる。
【手続補正１１】
【補正対象書類名】明細書
【補正対象項目名】００４８
【補正方法】変更
【補正の内容】
【００４８】
【発明の効果】
以上説明したように、本発明に係る第１の画像形成装置によれば、画像形成後の記録紙に対して複数の後処理を行うことが可能な後処理手段を備え、プレビュー表示が指定されたか否か、及び、複数の後処理の内、少なくとも１つの後処理が設定されたか否かの判断結果に応じて、制御手段は、予め設定された後処理に対応する後処理イメージデータを読み出し、該後処理イメージデータと印刷データとに基づくプレビュー表示を行わせるよう表示手段を制御するものである。
【手続補正１２】
【補正対象書類名】明細書
【補正対象項目名】００４９
【補正方法】変更
【補正の内容】
【００４９】
この構成によって、実際の印刷前に、複数の後処理の内、少なくとも１つの後処理後の記録紙の状態を表示画面上で確認することができるため、後処理の位置がユーザの意図していた位置と異なる不具合を防ぐことが可能となる。
【手続補正１３】
【補正対象書類名】明細書
【補正対象項目名】００５０
【補正方法】変更
【補正の内容】
【００５０】
また、本発明に係る第２の画像形成装置によれば、画像形成後の記録紙に対して後処理を行うことが可能な後処理手段を備え、プレビュー表示が指定されたか否か、及び、後処理が設定されたか否かの判断結果に応じて、制御手段は、予め設定された後処理に対応する後処理イメージデータを読み出し、該後処理イメージデータと印刷データとに基づくプレビュー表示を行わせるよう表示手段を制御するものである。